(57)【要約】【課題】  本発明は、下地補強材を安定して支持することが出来、下地補強材取付金物を野縁に対して容易に着脱することが出来、下地補強材取付金物を野縁に取り付けた後の該下地補強材取付金物の位置変更も容易に出来、下地補強材を野縁に跨って連続配置した場合でも少ない数の下地補強材取付金物で下地補強材を安定して支持することが出来る下地補強材取付金物を提供することを可能にすることを目的としている。【解決手段】  下地補強材取付金物Ａが野縁６に嵌合する天片１と、一対の側片２とを有し、更に側片２に接続される支持片３と、拘束片４とを有し、側片２の野縁６の側面側には該野縁６に係合して係止される爪片５を設けて構成したことを特徴とする。【選択図】      図１
2007031969.tif 000002
【特許請求の範囲】
【請求項１】
所定のピッチで配置された断面略矩形状の野縁に係合し、天井材の裏面側に配置される下地補強材を保持する下地補強材取付金物であって、
前記野縁に嵌合される、天片と、前記天片に接続される一対の側片と、
前記側片に接続され、前記下地補強材を載置して支持する支持片と、
前記支持片に対向して前記側片の中間部に接続され、前記下地補強材の上方への移動を拘束する拘束片と、
を有し、
前記側片の前記野縁面側には、該野縁に係合して係止される爪片を設けたことを特徴とする下地補強材取付金物。
【請求項２】
前記爪片は、前記側片の一部を上方が開放されるように切り欠いて前記野縁面側に折り曲げて突出させたことを特徴とする請求項１に記載の下地補強材取付金物。
【請求項３】
前記一対の側片のそれぞれに前記支持片及び前記拘束片が接続されたことを特徴とする請求項１または請求項２に記載の下地補強材取付金物。
【発明の詳細な説明】
【技術分野】
【０００１】
本発明は、所定のピッチで配置された断面略矩形状の野縁に係合し、天井材の裏面側に配置される下地補強材を保持する下地補強材取付金物に関するものである。
【背景技術】
【０００２】
従来、住宅等の建物の室内天井は、軽量鉄骨製等の長尺の野縁（下地材）を所定のピッチで配置し、これに天井材として防火性を有する石膏ボードをビス等により固定するのが一般である。
【０００３】
このような天井に照明器具等の重量物を固定或いは吊り下げる場合、石膏を厚紙でサンドイッチした石膏ボードにビス等を用いて固定しても十分な引き抜き強度が得られないためビス等が抜けて重量物が落下する虞がある。
【０００４】
このような問題を解決するために、特開２００１−２０７５７２号公報（特許文献１）には、ネジ止めした際に十分な引き抜き強度が得られる補強下地板を補強下地板取付金具を用いて石膏ボードの裏側に配置する技術が開示されており、この技術によれば、補強下地板をネジ止めすることなく補強下地板取付金具に固定することが出来るので、補強下地板の取付作業を容易に行うことが出来るとされている。
【０００５】
【特許文献１】特開２００１−２０７５７２号公報
【発明の開示】
【発明が解決しようとする課題】
【０００６】
しかしながら、前述の従来例では、以下の問題があった。
【０００７】
（１）押さえ片が金具の中央部に一箇所のみであり、合板等の補強下地板を安定して押さえることが出来ない虞がある。即ち、押さえ片で押さえられていない部分を下方から押すと補強下地材が持ち上がる可能性がある。
【０００８】
（２）野縁と補強下地板取付金具とはネジを用いて固定する必要があり、天井のような高所での、重量のある電動工具を用いたネジ止め作業が必要であるため危険と肉体的負荷を伴うという問題があり、更には、ネジ止め後の補強下地板取付金具の位置変更が容易に出来ないという問題がある。
【０００９】
（３）補強下地板の下面に当接する当接片（第４当接片）が片側（第３当接片側）にしかないため、補強下地板を野縁に跨って連続配置したい場合には１本の長尺下地材に対して補強下地板取付金具の位置をずらして固定しなければならず、結果的に補強下地板の中央に補強下地板取付金具を配置することが出来ないため補強下地板の支持安定性能が悪く、支持安定度を維持するために複数の補強下地板取付金具を使用せざるを得なくなるという問題がある。
【００１０】
本発明は前記課題を解決するものであり、その目的とするところは、下地補強材を安定して支持することが出来、下地補強材取付金物を野縁に対して容易に着脱することが出来、下地補強材取付金物を野縁に取り付けた後の該下地補強材取付金物の位置変更も容易に出来、下地補強材を野縁に跨って連続配置した場合でも少ない数の下地補強材取付金物で下地補強材を安定して支持することが出来る下地補強材取付金物を提供せんとするものである。
【課題を解決するための手段】
【００１１】
前記目的を達成するための本発明に係る下地補強材取付金物の第１の構成は、所定のピッチで配置された断面略矩形状の野縁に係合し、天井材の裏面側に配置される下地補強材を保持する下地補強材取付金物であって、前記野縁に嵌合される、天片と、前記天片に接続される一対の側片と、前記側片に接続され、前記下地補強材を載置して支持する支持片と、前記支持片に対向して前記側片の中間部に接続され、前記下地補強材の上方への移動を拘束する拘束片とを有し、前記側片の前記野縁面側には、該野縁に係合して係止される爪片を設けたことを特徴とする。
【００１２】
また、本発明に係る下地補強材取付金物の第２の構成は、前記第１の構成において、前記爪片は、前記側片の一部を上方が開放されるように切り欠いて前記野縁面側に折り曲げて突出させたことを特徴とする。
【００１３】
また、本発明に係る下地補強材取付金物の第３の構成は、前記第１、第２の構成において、前記一対の側片のそれぞれに前記支持片及び前記拘束片が接続されたことを特徴とする。
【発明の効果】
【００１４】
本発明に係る下地補強材取付金物の第１の構成によれば、下地補強材取付金物の側片に設けた爪片を例えば野縁側面に設けた凹状の係止部等に係止して固定することが出来るのでビス止め作業やビス止め用の工具の保持等が不要となり高所での作業が安全に効率良く行える。
【００１５】
また、支持片及び拘束片により支持拘束される下地補強材は、上下方向に拘束されるものの水平方向には拘束されないので、水平方向における位置の修正がいつでも可能である。例えば、天井の石膏ボード等を貼り付けた後は下地補強材には上下方向の力しかかからないので水平方向の拘束は不要である。
【００１６】
本発明に係る下地補強材取付金物の第２の構成によれば、爪片が側片の一部を切り欠いて構成されるため構造が簡単でプレス成形等により製造が容易であり、上方が開放されるように切り欠いて野縁面側に折り曲げて突出させた構造であるので下地補強材取付金物を野縁に嵌合させた後は爪片が返り止めになって抜け難く出来る。
【００１７】
また、本発明に係る下地補強材取付金物の第３の構成によれば、支持片及び拘束片が一対の側片のそれぞれに接続され、下地補強材取付金物の両側に配置された構造であるので下地補強材を安定して支持拘束することが出来る。また、支持片及び拘束片が下地補強材取付金物の両側に配置されるので下地補強材を連続配置する場合に都合が良い。
【発明を実施するための最良の形態】
【００１８】
図により本発明に係る下地補強材取付金物の一実施形態を具体的に説明する。図１は本発明に係る下地補強材取付金物の第１実施形態の構成を示す斜視図、図２は本発明に係る下地補強材取付金物の第１実施形態の構成を示す正面図、図３は本発明に係る下地補強材取付金物の第１実施形態の構成を示す平面図、図４は本発明に係る下地補強材取付金物の第１実施形態の構成を示す側面図、図５は本発明に係る下地補強材取付金物の第１実施形態の構成を示す裏面図、図６は本発明に係る下地補強材取付金物の第２実施形態の構成を示す斜視図、図７は本発明に係る下地補強材取付金物の第２実施形態の構成を示す正面図、図８は本発明に係る下地補強材取付金物の第２実施形態の構成を示す背面図、図９は本発明に係る下地補強材取付金物の第２実施形態の構成を示す平面図、図10は本発明に係る下地補強材取付金物の第２実施形態の構成を示す側面図、図11は本発明に係る下地補強材取付金物の第２実施形態の構成を示す裏面図、図12は本発明に係る下地補強材取付金物の第３実施形態の構成を示す斜視図、図13は本発明に係る下地補強材取付金物の第３実施形態の構成を示す正面図、図14は本発明に係る下地補強材取付金物の第３実施形態の構成を示す背面図、図15は本発明に係る下地補強材取付金物の第３実施形態の構成を示す平面図、図16は本発明に係る下地補強材取付金物の第３実施形態の構成を示す側面図、図17は本発明に係る下地補強材取付金物の第３実施形態の構成を示す裏面図、図18は本発明に係る下地補強材取付金物を利用して下地補強材を保持した様子を示す断面説明図、図19〜図22は本発明に係る下地補強材取付金物を利用して各種の配列で下地補強材を保持した様子を示す平面説明図である。
【００１９】
図１〜図５において、Ａは第１実施形態の下地補強材取付金物であり、図18〜図22に示すように、所定のピッチで配置された断面略矩形状の野縁６に上方から嵌合して係合し、石膏ボード等の天井材７の裏面上側に配置される合板等の下地補強材８を保持するものである。
【００２０】
下地補強材取付金物Ａは、野縁６に上方から嵌合される方形状の板材からなる天片１と、該天片１に接続され該天片１に対して９０度よりも幾分小さな角度（鋭角）で折り曲げられて垂下される一対の側片２と、該側片２に接続され該側片２に対して略９０度で折り曲げられて略水平に延長され下地補強材８を載置して支持する支持片３と、支持片３に対向して側片２の上下方向における中間部に接続され下地補強材８の上方への移動を拘束する拘束片４とを有して構成される。本実施形態では、一対の側片２のそれぞれに支持片３及び拘束片４が接続されている。
【００２１】
天片１及び側片２は断面略矩形状の野縁６の外周形状に応じた長さを有して構成されており、側片２は天片１に接続される上部が該天片１の軸方向（図２の左右方向）の長さに対応した該軸方向の長さを有して構成され、支持片３に接続される下部が該支持片３の軸方向（図２の左右方向）の長さに対応した該軸方向の長さを有して構成される。
【００２２】
支持片３の軸方向（図２の左右方向）の長さは、天片１の軸方向（図２の左右方向）の長さよりも該軸方向両端部が長くなるように設定されており、その長さの差分の該軸方向の長さを有する拘束片４が支持片３の該軸方向両端部にそれぞれ対向して側片２に対して支持片３側の角度が９０度よりも幾分小さな角度（鋭角）で折り曲げられて略水平に延長され下地補強材８の上方への移動を拘束する。支持片３と拘束片４との上下方向（図４の上下方向）の間隔は下地補強材８の板厚に対応して設定されている。
【００２３】
本実施形態では、天片１と側片２との間の鋭角、及び側片２と拘束片４との間の鋭角をそれぞれ８８度に設定したものである。天片１と側片２との間の鋭角を８８度に設定したことで一対の側片２のバネ作用により野縁６の両側面を挟み込むことが出来、野縁６に対する下地補強材取付金物Ａの拘束性能に優れる。また、側片２と支持片３との間の角度を９０度とし、側片２と拘束片４との間の鋭角を８８度に設定したことで支持片３と拘束片４とのバネ作用により下地補強材８の表裏面を挟み込むことが出来、下地補強材取付金物Ａに対する下地補強材８の拘束性能に優れる。
【００２４】
また、拘束片４の先端部４ａは支持片３の先端部３ａよりも延長されており、更に該拘束片４の支持片３の先端部３ａの位置から延長された延長部４ｂが該支持片３と反対側に鈍角で折り曲げられている。これにより、支持片３と拘束片４との間に下地補強材８を挿入し易く且つ挿入した後は下地補強材８が支持片３と拘束片４とにより挟み込まれて拘束される。
【００２５】
一対の側片２の野縁６の側面側には該野縁６に係合して係止される爪片５が設けられている。本実施形態の爪片５は側片２の一部を上方が開放されるように切り欠いて野縁６の側面側に折り曲げて突出させた構成であり、側片２の天片１に接続される上部に該側片２の軸方向（図２の左右方向）に沿って２箇所（両側片２で計４箇所）に設けられている。
【００２６】
図６〜図11は、第２実施形態の下地補強材取付金物Ｂであり、前述した第１実施形態の下地補強材取付金物Ａと異なる点は、一対の側片２のうち、一方の側片２が上部の一部を残して削除され、その残された側片２の上部は野縁６の側面上部に嵌合する。他方の側片２には前記第１実施形態の下地補強材取付金物Ａと同様に、支持片３、拘束片４が接続され、爪片５が野縁６の側面側に係合して係止される。他の構成は前記第１実施形態と同様に構成されて同様の効果を得ることが出来るものである。
【００２７】
図12〜図17は、第３実施形態の下地補強材取付金物Ｃであり、前述した第１、第２実施形態の下地補強材取付金物Ａ，Ｂと異なる点は、一対の側片２のうち、一方の側片２が爪片５が設けられた上部の一部を残して削除され、その残された側片２の上部は野縁６の側面上部に嵌合すると共に、爪片５が野縁６の側面側に係合して係止される。また、他方の側片２には前記第１、第２実施形態の下地補強材取付金物Ａ，Ｂと同様に、支持片３、拘束片４が接続され、爪片５が野縁６の側面側に係合して係止される。
【００２８】
本実施形態の下地補強材取付金物Ｃは厚い下地補強材８を挟み込むように支持片３と拘束片４との上下方向（図16の上下方向）の離間間隔が大きく設定された一例であり、拘束片４の延長部４ｂも支持片３の先端部３ａよりも側片２側の中間部の位置から延長され該延長部４ｂが該支持片３と反対側に鈍角で折り曲げられている。他の構成は前記第１、第２実施形態と同様に構成されて同様の効果を得ることが出来るものである。
【００２９】
図18は建物の天井端部に配置された野縁６に対して前述した第３実施形態の下地補強材取付金物Ｃを嵌合し、天井中間部に配置された野縁６に対して前述した第１実施形態の下地補強材取付金物Ａを嵌合して支持片３と拘束片４との間にカーテンレール用下地合板からなる下地補強材８を挟み込んで保持した構造の一例である。野縁６及び下地補強材８の下方には天井材７が取り付けられる。
【００３０】
図19は所定のピッチで配置された一対の野縁６に対して前述した第１実施形態の下地補強材取付金物Ａを嵌合し、該野縁６に沿って平行にライン照明用下地合板からなる下地補強材８が配置され、該下地補強材８を支持片３と拘束片４との間に挟み込んで保持した構造の一例である。
【００３１】
図20は所定のピッチで配置された複数の野縁６に対して前述した第１実施形態の下地補強材取付金物Ａを嵌合し、該野縁６と直交する方向に該野縁６を跨いでライン照明用下地合板からなる下地補強材８が直線状に配置され、該下地補強材８を支持片３と拘束片４との間に挟み込んで保持した構造の一例である。
【００３２】
図21は所定のピッチで直交して配置された複数の野縁６のうち、平行に配置された一対の野縁６に対して前述した第１実施形態の下地補強材取付金物Ａを嵌合し、該野縁６に沿って平行に且つ直交する方向の野縁６を跨いでライン照明用下地合板からなる下地補強材８が直線状に配置され、該下地補強材８を支持片３と拘束片４との間に挟み込んで保持した構造の一例である。
【００３３】
図22は所定のピッチで配置された複数の野縁６に対して前述した第１実施形態の下地補強材取付金物Ａを嵌合し、各野縁６の間に照明器具用下地合板からなる下地補強材８が並列して面状に配置され、該下地補強材８を支持片３と拘束片４との間に挟み込んで保持した構造の一例である。
【００３４】
尚、前記各実施形態では、水平梁に設けられた野縁６に嵌合される下地補強材取付金物Ａ〜Ｃの一例について説明したが、これに限定されるものではなく、勾配屋根等の登り梁に設けられた野縁６に下地補強材取付金物Ａ〜Ｃを適宜嵌合し、下地補強材８を支持片３と拘束片４との間に挟み込んで保持した構造とすることも出来る。
【産業上の利用可能性】
【００３５】
本発明の活用例として、所定のピッチで配置された断面略矩形状の野縁に係合し、天井材の裏面側に配置される下地補強材を保持する下地補強材取付金物に適用出来る。
【図面の簡単な説明】
【００３６】
【図１】本発明に係る下地補強材取付金物の第１実施形態の構成を示す斜視図である。
【図２】本発明に係る下地補強材取付金物の第１実施形態の構成を示す正面図である。
【図３】本発明に係る下地補強材取付金物の第１実施形態の構成を示す平面図である。
【図４】本発明に係る下地補強材取付金物の第１実施形態の構成を示す側面図である。
【図５】本発明に係る下地補強材取付金物の第１実施形態の構成を示す裏面図である。
【図６】本発明に係る下地補強材取付金物の第２実施形態の構成を示す斜視図である。
【図７】本発明に係る下地補強材取付金物の第２実施形態の構成を示す正面図である。
【図８】本発明に係る下地補強材取付金物の第２実施形態の構成を示す背面図である。
【図９】本発明に係る下地補強材取付金物の第２実施形態の構成を示す平面図である。
【図１０】本発明に係る下地補強材取付金物の第２実施形態の構成を示す側面図である。
【図１１】本発明に係る下地補強材取付金物の第２実施形態の構成を示す裏面図である。
【図１２】本発明に係る下地補強材取付金物の第３実施形態の構成を示す斜視図である。
【図１３】本発明に係る下地補強材取付金物の第３実施形態の構成を示す正面図である。
【図１４】本発明に係る下地補強材取付金物の第３実施形態の構成を示す背面図である。
【図１５】本発明に係る下地補強材取付金物の第３実施形態の構成を示す平面図である。
【図１６】本発明に係る下地補強材取付金物の第３実施形態の構成を示す側面図である。
【図１７】本発明に係る下地補強材取付金物の第３実施形態の構成を示す裏面図である。
【図１８】本発明に係る下地補強材取付金物を利用して下地補強材を保持した様子を示す断面説明図である。
【図１９】本発明に係る下地補強材取付金物を利用して各種の配列で下地補強材を保持した様子を示す平面説明図である。
【図２０】本発明に係る下地補強材取付金物を利用して各種の配列で下地補強材を保持した様子を示す平面説明図である。
【図２１】本発明に係る下地補強材取付金物を利用して各種の配列で下地補強材を保持した様子を示す平面説明図である。
【図２２】本発明に係る下地補強材取付金物を利用して各種の配列で下地補強材を保持した様子を示す平面説明図である。
【符号の説明】
【００３７】
Ａ〜Ｃ…下地補強材取付金物
１…天片
２…側片
３…支持片
３ａ…先端部
４…拘束片
４ａ…先端部
４ｂ…延長部
５…爪片
６…野縁
７…天井材
８…下地補強材
【図１】
2007031969.tif 000003
【図２】
2007031969.tif 000004
【図３】
2007031969.tif 000005
【図４】
2007031969.tif 000006
【図５】
2007031969.tif 000007
【図６】
2007031969.tif 000008
【図７】
2007031969.tif 000009
【図８】
2007031969.tif 000010
【図９】
2007031969.tif 000011
【図１０】
2007031969.tif 000012
【図１１】
2007031969.tif 000013
【図１２】
2007031969.tif 000014
【図１３】
2007031969.tif 000015
【図１４】
2007031969.tif 000016
【図１５】
2007031969.tif 000017
【図１６】
2007031969.tif 000018
【図１７】
2007031969.tif 000019
【図１８】
2007031969.tif 000020
【図１９】
2007031969.tif 000021
【図２０】
2007031969.tif 000022
【図２１】
2007031969.tif 000023
【図２２】
2007031969.tif 000024